(57)【要約】【課題】積雪地域における雨水処理についてはコンクリート製Ｕ字溝や暗渠排水を施し雨水処理をしてきたが、どちらの施工法も熟練した技術を要し、コンクリート製Ｕ字溝を利すると雨水処理施設としては過大となってしまい、暗渠排水を施して雨水処理を行った場合、雨水が地下浸透する可能性を考えると経済的で施工性の高い排水資材と施工法の発明が課題とされていた。【解決手段】合成樹脂からなる軽量で施工と再利用が容易な排水溝であって、横断面形状は床面左右両側に斜めに立設する斜壁を設け、逆台形状になる流体経路を形成し、形状安定と施工性向上のため斜壁上部の両側に小段を設け、屈曲に対する剛性向上のために小段両端部に直壁を形成し、溝の縦断方向に連続形成されていることを特徴とする排水溝と簡易基礎施工法を提供する。【選択図】図１
2010031616.tif 000002
【特許請求の範囲】
【請求項１】
合成樹脂からなる軽量で施工と再利用が容易な排水溝であって、横断面形状は床面左右両側に斜めに立設する斜壁を設け、逆台形状となる流体経路を形成し、形状安定と施工性向上のため斜壁上部の両側に小段を設け、屈曲に対する剛性向上のため小段両端部に直壁を形成し、溝の縦断方向に連続形成されていることを特徴とする排水溝。
【請求項２】
合成樹脂からなる継ぎ手であって、横断面形状は床面左右両側に斜めに立設する斜壁を形成し、内側に粘着テープを貼り付け、溝の縦断方向に排水溝を突合せて継ぎ目の下方より継ぎ手を接着し、排水溝を接続するための継ぎ手を設けてなる請求項１記載の排水溝。
【請求項３】
合成樹脂からなる直角継ぎ手であって、横断面形状は床面左右両側に斜めに立設する斜壁を設け、溝の縦断方向に向かって直角に折り曲げ形成し、内側に粘着テープを貼り付け、溝の縦断方向端部の下方より接着し、排水溝を直角に接続するための直角継ぎ手を設けてなる請求項１記載の排水溝。
【請求項４】
合成樹脂からなる止水壁であって、横断面形状は床面左右両側に斜めに立設する斜壁を設け、縦断方向の片側端部に妻壁を形成し、内側に粘着テープを貼り付け、溝の縦断方向端部に下方より接着し、排水溝端部を止水するための止水壁を設けてなる請求項１記載の排水溝。
【請求項５】
合成樹脂からなる蓋であって、横断面形状はＣ形のガイドを縦棒として長手方向に２本設け、角パイプを横桟として梯子状に組み立て、溝の縦断方向に連続形成されており、設置した排水溝の小段上面に架渡すことによって、踏み掛け板としての機能と側方からの土圧に対する剛性向上を特徴とする蓋を設けてなる請求項１記載の排水溝。
【発明の詳細な説明】
【技術分野】
【０００１】本発明は、農業用施設周辺及び家屋軒下等の雨水処理に用いることができる排水溝に関する。
【技術背景】
【０００２】従来の農業用施設周辺及び家屋軒下等の雨水処理については雨樋を設置する方法があるが、積雪地域での雨水処理としては適当ではなく、また、コンクリート製のＵ字溝を設置、又は、暗渠を施す方法も従来行われてきたが、前者は、コンクリート製品のため重量があり、輸送面や施工面での費用が大きいことが問題であり、暗渠を施す方法も間接的な排水方法で費用に対する雨水処理の効果が低いことが問題として挙げられる。
【発明の開示】
【発明が解決しようとする課題】
【０００３】従来の雨水処理について、積雪地域においてはコンクリート製Ｕ字溝や暗渠排水を施し雨水処理をしてきたが、どちらの施工法も熟練した技術を要し、重機を利用して掘削し、基礎材や被覆材を充填して布設を行わなければならず、コンクリート製Ｕ字溝を利用すると雨水処理施設としては過大となってしまい、暗渠排水を利用して雨水処理を行った場合、雨水が地下浸透する可能性を考えると費用対効果が課題とされていた。
【課題を解決するための手段】
【０００４】本発明は上記課題を解決するためになされたもので、合成樹脂からなる軽量で施工と再利用が容易な排水溝であって、横断面形状は床面左右両側に斜めに立設する斜壁を設け、逆台形状になる流体経路を形成し、形状安定と施工性向上のため斜壁上部の両側に小段を設け、屈曲に対する剛性向上のため小段両端部に直壁を形成し、溝の縦断方向に連続形成されていることを特徴とする排水溝。【０００５】合成樹脂からなる継ぎ手であって、横断面形状は床面左右両側に斜めに立設する斜壁を形成し、内側に粘着テープを貼り付け、溝の縦断方向に排水溝を突合せて継ぎ目の下方より継ぎ手を接着し、排水溝を接続するための継ぎ手を設けてなる請求項１記載の排水溝。【０００６】合成樹脂からなる直角継ぎ手であって、横断面形状は床面左右両側に斜めに立設する斜壁を設け、溝の縦断方向に向かって直角に折り曲げ形成し、内側に粘着テープを貼り付け、溝の縦断方向端部の下方より接着し、排水溝を直角に接続するための直角継ぎ手を設けてなる請求項１記載の排水溝。【０００７】合成樹脂からなる止水壁であって、横断面形状は床面左右両側に斜めに立設する斜壁を設け、縦断方向の片側端部に妻壁を形成し、内側に粘着テープを貼り付け、溝の縦断方向端部に下方より接着し、排水溝端部を止水するための止水壁を設けてなる請求項１記載の排水溝。【０００８】合成樹脂からなる蓋であって、横断面形状はＣ形のガイドを縦棒として長手方向に２本設け、角パイプを横桟として梯子状に組み立て、溝の縦断方向に連続形成されており、設置した排水溝の小段上面に架渡すことによって、踏み掛け板としての機能と側方からの土圧に対する剛性向上を特徴とする蓋を設けてなる請求項１記載の排水溝。
【発明の効果】
【０００９】本発明の排水溝は農業用施設周辺及び家屋軒下の雨水処理に適した形状を有し、軽量で施工・再利用が容易で、垂木等を利用した簡易基礎施工方法を用いることによって、基礎材及び被覆材などの充填が不要となり、人力施工を可能にすることによって、設置費用の軽減と施工期間を大きく短縮することが可能となり、費用に対する雨水処理効果に優れる。
【発明を実施するための最良の形態】
【００１０】図面を参照して本発明の排水溝及び継ぎ手について、さらに詳しく説明する。以下の実施例は本発明を限定することを目的とするものではない。【００１１】本発明の排水溝の態様を図１に示す。図１は排水溝１を示す斜視図であり、図２は排水溝１の平面図である。排水溝１は床面２左右両側に斜めに立設する斜壁３を設け、横断面が逆台形状となる流体経路を形成し、形状安定と施工性向上のため斜壁３上部の両側に小段４を設け、屈曲に対する剛性向上のため小段４両端部に直壁５を形成し、溝の縦断方向に連続形成されていることを特徴とする構造。【００１２】本発明の継ぎ手の態様を図３に示す。図３は継ぎ手６を示す斜視図であり、図４は継ぎ手６の平面図である。継ぎ手６は前記、排水溝１を接続するための合成樹脂からなる継ぎ手６であって、横断面形状は床面２左右両側に斜めに立設する斜壁３を形成し、内側に粘着テープを貼り付け、溝の縦断方向に排水溝を突合せて継ぎ目の下方より、継ぎ手を接着し排水溝１を接続する構造。【００１３】本発明の直角継ぎ手の態様を図５に示す。図５は直角継ぎ手７を示す斜視図であり、図６は直角継ぎ手７の平面図である。直角継ぎ手７は前記、排水溝１を接続するための合成樹脂からなる直角継ぎ手７であって、横断面形状は床面２左右両側に斜めに立設する斜壁３を設け、溝の縦断方向に向かって直角に折り曲げ形成し、内側に粘着テープを貼り付け、溝の縦断方向端部の下方より、接着し排水溝１を直角に接続する構造。【００１４】本発明の止水壁の態様を図７に示す。図７は止水壁８を示す斜視図であり、図８は止水壁８の平面図である。止水壁８は前記、排水溝１の端部を止水するための合成樹脂からなる止水壁８であって、横断面形状は床面２左右両側に斜めに立設する斜壁３を設け、縦断方向の片側端部に妻壁９を形成し、内側に粘着テープを貼り付け、溝の縦断方向端部に下方より接着し排水溝１端部を止水する構造。【００１５】本発明の蓋の態様を図９に示す。図９は蓋１０を示す斜視図であり、図１０は蓋１０の平面図である。蓋１０は前記、排水溝１の小段４上部に架渡す合成樹脂からなる蓋１０であって、形状はＣ形ガイドを縦棒１２として長手方向に２本設け、角パイプを横桟１１として梯子状に組み立て、溝の縦断方向に連続形成されており、設置した排水溝１の小段４上部に架渡すことによって、踏み掛け板としての機能と側方からの土圧に対する剛性向上を特徴とする構造。【００１６】本発明における排水溝１の施工に当たっては簡易基礎施工方法図１１を採用し、排水溝１設置縦断方向の両端に木杭１３を土中に打ち込み、縦断勾配を設定した高さに垂木１４を打ちつけ、その上端部に排水溝１の小段４部下面を載せて、小段４上部よりビス１５で垂木１４に固定し、継ぎ手６部分を突き合わせて接合し、排水溝両端部に止水壁８を取り付け、排水溝１の流末部分は床面に穿孔して管渠を接続し排水する。さらに本発明の好ましい態様として、設置した排水溝１の小段４上面に１０蓋を架渡し排水溝１と共に固定することによって、踏み掛け板の機能を有すると共に、側方からの土圧に対する剛性が向上し、更なる形状安定効果が得られる。【００１７】さらに本発明を実施する最良の施工事例として、農業用施設での施工断面を図１２に示す。農業用施設などのＤ型ハウス１６の多くの構造は１７基礎ブロックを埋設し、その上部に支柱１８を設け、支柱１８の鉛直方向に横桟１９を設置し、横桟１９に屋根材２０を取り付ける形状で構造されており、屋根材２０を伝わり落ちた雨水２１が排水溝１内に直接流入するように設置することが好ましい。【００１８】さらに本発明を実施する最良の施工事例として、家屋２２軒下での施工断面を図１３に示す。家屋２２軒下の屋根２３部分から垂直方向へ落ちる雨水２１が排水溝１内に直接流入するように設置することが好ましい。
【図面の簡単な説明】
【００１９】
【図１】本発明の実施例の排水溝を示す斜視図である。
【図２】本発明の実施例の排水溝を示す平面図である。
【図３】本発明の実施例の継ぎ手を示す斜視図である。
【図４】本発明の実施例の継ぎ手を示す平面図である。
【図５】本発明の実施例の直角継ぎ手を示す斜視図である。
【図６】本発明の実施例の直角継ぎ手を示す平面図である。
【図７】本発明の実施例の止水壁を示す斜視図である。
【図８】本発明の実施例の止水壁を示す平面図である。
【図９】本発明の実施例の蓋を示す斜視図である。
【図１０】本発明の実施例の蓋を示す平面図である。
【図１１】本発明の排水溝の簡易基礎施工を示す断面図である。
【図１２】本発明を実施するための農業用施設での施工断面図である。
【図１３】本発明を実施するための家屋軒下での施工断面図である。
【符号の説明】
【００２０】１  排水溝
２  床面
３  斜壁
４  小段
５  直壁
６  継ぎ手
７  直角継ぎ手
８  止水壁
９  妻壁
１０  蓋
１１  横桟
１２  縦棒
１３  木杭
１４  垂木
１５  ビス
１６  Ｄ型ハウス
１７  基礎ブロック
１８  支柱
１９  横桟
２０  屋根材
２１  雨水
２２  家屋
２３  屋根
【図１】
2010031616.tif 000003
【図２】
2010031616.tif 000004
【図３】
2010031616.tif 000005
【図４】
2010031616.tif 000006
【図５】
2010031616.tif 000007
【図６】
2010031616.tif 000008
【図７】
2010031616.tif 000009
【図８】
2010031616.tif 000010
【図９】
2010031616.tif 000011
【図１０】
2010031616.tif 000012
【図１１】
2010031616.tif 000013
【図１２】
2010031616.tif 000014
【図１３】
2010031616.tif 000015